(57)【要約】【課題】カードの厚みがばらついてもカードの正挿入時に確実にカードを装着可能とし、カードの誤挿入を防止することができるカード用コネクタを提供すること。【解決手段】薄型カード４１の挿入方向に薄型カード４１と共にコネクタ内をスライドするスライド部材６と、スライド部材６にコネクタの厚み方向から係合し、コネクタに対しスライド部材６のスライドをロックするロック部２３と、薄型カード４１の正挿入時に薄型カード４１の挿入によってロック部２３とスライド部材６とを離間させるようにしてロックを解除可能な解除位置に薄型カード４１の挿入を許容し、薄型カード４１の誤挿入時に解除位置への薄型カード４１の挿入を阻止する挿入位置規制部３２と、解除位置において、薄型カードの厚み方向における位置を、ロック部２３側に向けて底上げする底上げ部３３とを備えた。【選択図】図６
2010212057.tif 000002
【特許請求の範囲】
【請求項１】
カードの装着空間を形成するハウジングと、
前記カードの挿入方向に前記カードと共に前記ハウジング内をスライドするスライド部材と、
前記スライド部材に前記ハウジングの厚み方向から係合し、前記ハウジングに対し前記スライド部材のスライドをロックするロック部と、
前記カードの挿入方向において、前記カードの正挿入時に前記カードの挿入によって前記ロック部と前記スライド部材とを離間させてロックを解除可能な解除位置に前記カードの挿入を許容し、前記カードの誤挿入時に前記解除位置への前記カードの挿入を阻止する挿入位置規制部と、
前記解除位置において、前記カードの前記ハウジングの厚み方向における位置を、前記ロック部側に向けて底上げする底上げ部とを備えたことを特徴とするカード用コネクタ。
【請求項２】
前記底上げ部は、前記スライド部材に設けられており、
前記底上げ部により前記カードが底上げされた場合に、前記スライド部材が前記カードに押し下げられることを特徴とする請求項１に記載のカード用コネクタ。
【請求項３】
前記ハウジングの装着空間は、厚みの異なる複数種類のカードを装着可能とし、
前記スライド部材の前記底上げ部側には、前記底上げ部により所定の厚み以上のカードが底上げされた場合に、前記スライド部材と前記ハウジングとの接触圧の増大を抑制するための逃げ部が設けられたことを特徴とする請求項１または請求項２に記載のカード用コネクタ。
【請求項４】
前記カードには、先端側から挿入方向に延在する複数の仕切によって複数の溝部が形成され、
前記溝部の底面の一部には前記ハウジングに設けられた端子と接触するパッドが設けられ、
前記底上げ部が、一つの前記溝部の底面における前記パッドと前記端子との摺動軌跡から外れた位置に当接することにより、前記カードが底上げされることを特徴とする請求項１から請求項３のいずれかに記載のカード用コネクタ。
【請求項５】
前記ハウジングは、金属性の蓋体を有し、
前記ロック部は、前記蓋体の一部で形成され、
前記スライド部材の前記ロック部に係合される被係合部が金属性であることを特徴とする請求項１から請求項４のいずれかに記載のカード用コネクタ。
【請求項６】
前記カードの先端側の一の角部は、切り欠かれて傾斜面を有しており、
前記挿入位置規制部は、前記スライド部材に設けられ、前記カードの傾斜面を案内可能な傾斜面を有し、
前記カードの正挿入時には前記カードの傾斜面が前記挿入位置規制部の傾斜面に案内されて前記解除位置に挿入され、前記カードの誤挿入時には前記カードの角部が前記挿入位置規制部の傾斜面に規制され前記解除位置への挿入が阻止されることを特徴とする請求項１から請求項５のいずれかに記載のカード用コネクタ。
【請求項７】
前記ロック部は、前記カード部に当接する段部を有した片持バネであり、自由端側に前記段部が前記カードに押し上げられることでロックを解除することを特徴とする請求項１から請求項６のいずれかに記載のカード用コネクタ。
【発明の詳細な説明】
【技術分野】
【０００１】
本発明は、カード用コネクタに関し、特に、カードの誤挿入防止構造を備えたカード用コネクタに関する。
【背景技術】
【０００２】
従来、カードの誤挿入防止構造を備えたカード用コネクタとして、カードの挿入および排出方向にカードと共にスライドするスライド部材を、カードの逆挿入時にロックするものが知られている（例えば、特許文献１参照）。このカード用コネクタは、カードが挿入されるハウジングを有し、ハウジングにはスライド部材のスライドをロックする片持バネが形成されている。この片持バネは、ハウジング内に傾斜するように切り起されており、自由端側に形成された被係合部にスライド部材の係合突起が係合することで、スライド部材のスライドをロックしている。
【０００３】
また、スライド部材には、カードの正挿入時に片持バネとのロックを解除可能な解除位置にカードの挿入を許容し、カードの誤挿入時に解除位置へのカードの挿入を阻止する挿入位置規制部が形成されている。そして、カードの正挿入時には、片持バネの自由端がカードの厚みにより持ち上げられてスライド部材のロックが解除され、カードがスライド部材と共に挿入方向にスライドして装着される。一方、カードの誤挿入時には、カードの解除位置への挿入が阻止されるため、スライド部材のスライドのロックが維持される。
【先行技術文献】
【特許文献】
【０００４】
【特許文献１】特開２００８−２０４７０３号公報
【発明の概要】
【発明が解決しようとする課題】
【０００５】
しかしながら、上記したような従来のカード用コネクタにおいては、片持バネの自由端がカードの厚みにより持ち上げられることでスライド部材のロックが解除されるため、カードの厚みがばらつくと片持バネの持ち上げ量が変化して、スライド部材の適切なロックがされないおそれがあった。例えば、カードが薄すぎる場合には、カードが正挿入されたにも関わらず、片持バネの持ち上げ量が足りずにロックが解除されず、カードを装着することができなかった。この問題を解決するために、カードの厚み方向の寸法公差を小さくすることが考えられるが、製造コストが高くなるという問題があった。
【０００６】
本発明はこのような実情に鑑みてなされたものであり、カードの厚みがばらついてもカードの正挿入時に確実にカードを装着可能とし、カードの誤挿入を防止することができるカード用コネクタを提供することを目的とする。
【課題を解決するための手段】
【０００７】
本発明のカード用コネクタは、カードの装着空間を形成するハウジングと、前記カードの挿入方向に前記カードと共に前記ハウジング内をスライドするスライド部材と、前記スライド部材に前記ハウジングの厚み方向から係合し、前記ハウジングに対し前記スライド部材のスライドをロックするロック部と、前記カードの挿入方向において、前記カードの正挿入時に前記カードの挿入によって前記ロック部と前記スライド部材とを離間させてロックを解除可能な解除位置に前記カードの挿入を許容し、前記カードの誤挿入時に前記解除位置への前記カードの挿入を阻止する挿入位置規制部と、前記解除位置において、前記カードの前記ハウジングの厚み方向における位置を、前記ロック部側に向けて底上げする底上げ部とを備えたことを特徴とする。
【０００８】
この構成によれば、カードの正挿入時にはカードが解除位置への挿入が許容され、カードの誤挿入時にはカードの解除位置への挿入が阻止されるため、カードの誤挿入が防止される。また、カードの正挿入時には解除位置においてカードのハウジングの厚み方向における位置が底上げされるため、カードの厚みにばらつきが生じてもロック部をスライド部材から離間させてロックを解除させることができる。特に、最薄のカードの厚みに合わせて底上げ部の底上げ量を設計することにより、確実にロック部によるロックを解除させることができる。このように、カードの厚み方向における寸法公差が大きくばらついても正挿入時にロックが解除されるため、カードの製造コストを低減させることができる。
【０００９】
また本発明は、上記カード用コネクタにおいて、前記底上げ部は、前記スライド部材に設けられており、前記底上げ部により前記カードが底上げされた場合に、前記スライド部材が前記カードに押し下げられることを特徴とする。
【００１０】
この構成によれば、カードが底上げされた場合にスライド部材が押し下げられるため、さらにロック部とスライド部材とを離間させ易くすることができる。
【００１１】
また本発明は、上記カード用コネクタにおいて、前記ハウジングの装着空間は、厚みの異なる複数種類のカードを装着可能とし、前記スライド部材の前記底上げ部側には、前記底上げ部により所定の厚み以上のカードが底上げされた場合に、前記スライド部材と前記ハウジングとの接触圧の増大を抑制するための逃げ部が設けられたことを特徴とする。
【００１２】
この構成によれば、所定の厚み以上のカードが挿入されたときに、逃げ部によりスライド部材とハウジングとの接触圧の増大が抑制されるため、厚みの異なる複数種類の規格のカードに対応させることができる。
【００１３】
また本発明は、上記カード用コネクタにおいて、前記カードには、先端側から挿入方向に延在する複数の仕切によって複数の溝部が形成され、前記溝部の底面の一部には前記ハウジングに設けられた端子と接触するパッドが設けられ、前記底上げ部が、一つの前記溝部の底面における前記パッドと前記端子との摺動軌跡から外れた位置に当接することにより、前記カードが底上げされることを特徴とする。
【００１４】
この構成によれば、カードが溝部の底面のパッドと端子との摺動軌跡を避けた位置で底上げ部により底上げされるため、パッドと端子との接触に影響を与えることがない。
【００１５】
また本発明は、上記カード用コネクタにおいて、前記ハウジングは、金属性の蓋体を有し、前記ロック部は、前記蓋体の一部で形成され、前記スライド部材の前記ロック部に係合される被係合部が金属性であることを特徴とする。
【００１６】
この構成によれば、ロック部とスライド部材の係合部が金属で形成されるため、強度を高めると共に、耐摩耗性を向上させて長寿命化を図ることができる。
【００１７】
また本発明は、上記カード用コネクタにおいて、前記カードの先端側の一の角部は、切り欠かれて傾斜面を有しており、前記挿入位置規制部は、前記スライド部材に設けられ、前記カードの傾斜面を案内可能な傾斜面を有し、前記カードの正挿入時には前記カードの傾斜面が前記挿入位置規制部の傾斜面に案内されて前記解除位置に挿入され、前記カードの誤挿入時には前記カードの角部が前記挿入位置規制部の傾斜面に規制され前記解除位置への挿入が阻止されることを特徴とする。
【００１８】
この構成によれば、正挿入時にのみカードの傾斜面が挿入位置規制部の傾斜面に案内されるため、簡易な構成でカードの誤挿入を防止することができる。
【００１９】
また本発明は、上記カード用コネクタにおいて、前記ロック部は、前記カード部に当接する段部を有した片持バネであり、自由端側に前記段部が前記カードに押し上げられることでロックを解除することを特徴とする。
【００２０】
この構成によれば、簡易な構成でロック部を形成することができる。
【発明の効果】
【００２１】
本発明によれば、カードの厚みがばらついてもカードの正挿入時に確実にカードを装着可能とし、カードの誤挿入を防止することができる。
【図面の簡単な説明】
【００２２】
【図１】本発明に係るカード用コネクタの実施の形態を示す図であり、カード用コネクタの斜視図である。
【図２】本発明に係るカード用コネクタの実施の形態を示す図であり、カード用コネクタの分解斜視図である。
【図３】本発明に係るカード用コネクタの実施の形態を示す図であり、スライド部材の斜視図である。
【図４】本発明に係るカード用コネクタの実施の形態を示す図であり、カード用コネクタの薄型カードの誤挿入時の説明図である。
【図５】本発明に係るカード用コネクタの実施の形態を示す図であり、カード用コネクタの厚型カードの誤挿入時の説明図である。
【図６】本発明に係るカード用コネクタの実施の形態を示す図であり、カード用コネクタの最薄の薄型カードのロック解除構造の説明図である。
【図７】本発明に係るカード用コネクタの実施の形態を示す図であり、カード用コネクタの最厚の厚型カードのロック解除構造の説明図である。
【図８】本発明に係るカード用コネクタの実施の形態を示す図であり、厚型カードの正挿入時の部分拡大図である。
【図９】本発明に係るカード用コネクタの実施の形態を示す図であり、薄型カードの平面図である。
【図１０】本発明に係るカード用コネクタの実施の形態を示す図であり、厚型カードの平面図である。
【発明を実施するための形態】
【００２３】
以下、本発明の実施の形態について添付図面を参照して詳細に説明する。なお、以下においては、本発明を薄型カードおよび厚型カードの２種類のカードを挿入可能としたコンバイン型のカード用コネクタに適用する場合について説明する。しかしながら、本実施の形態に係るカード用コネクタの適用対象については、これに限定されるものではなく適宜変更が可能である。
【００２４】
まず、本発明の実施の形態に係るカード用コネクタについて説明する前に装着対象となる薄型カードおよび厚型カードについて説明する。図９は、本発明の実施の形態に係る薄型カードの平面図であり、（ａ）は上面図、（ｂ）は側面図を示している。図１０は、本発明の実施の形態に係る厚型カードの平面図であり、（ａ）は上面図、（ｂ）は側面図を示している。
【００２５】
図９（ａ）、（ｂ）に示すように、薄型カード４１は、挿入方向に一定の厚み（約１．４ｍｍ）で形成されたいわゆるマルチメディアカード（ＭＭＣ）であり、上面視略矩形状に形成されている。薄型カード４１の一の角部には、切り欠かれて約４５度に傾斜した傾斜面４２が形成されている。傾斜面４２は、薄型カード４１の挿入方向を識別するのに用いられ、この傾斜面４２が形成されている側が挿入方向における先端側とされ、逆側が挿入方向における後端側とされる。この傾斜面４２が形成された先端側から挿入されたときのみ、薄型カード４１がカード用コネクタ１に装着される。また、薄型カード４１の先端側には、カード用コネクタ１の複数のコンタクト端子１１に接触する複数のパッド４３（図４参照）が設けられている。
【００２６】
図１０（ａ）、（ｂ）に示すように、厚型カード４５は、薄型カード４１よりも厚い（約２．１ｍｍ）厚みで形成されたいわゆるＳＤカードであり、上面視略矩形状に形成されている。また、厚型カード４５は、薄型カードの仕様に基づいて構成されており、正面視において上段が薄型カードと同一の幅を有する段状に形成されている。厚型カード４５の一の角部には、薄型カード４１と同様に切り欠かれて約４５度に傾斜した挿入方向識別用の傾斜面４６が形成されている。また、厚型カード４５の傾斜面４６が形成された先端側には、挿入方向に延在する複数の仕切りによって後述する溝部４７が形成されている。この溝部４７には、カード用コネクタ１の複数のコンタクト端子１１に接触する複数のパッド４８（図８参照）が設けられている。
【００２７】
次に、図１および図２を参照して、カード用コネクタの全体構成について説明する。図１は、本発明の実施の形態に係るカード用コネクタの斜視図である。図２は、本発明の実施の形態に係るカード用コネクタの分解斜視図である。
【００２８】
図１および図２に示すように、本実施の形態に係るカード用コネクタ１は、上面および前面が開口されたコネクタ本体２と、コネクタ本体２の上面の開口に装着されてカードの装着空間を形成する蓋体３とを備え、コネクタ本体２および蓋体３が組み合わされて挿入口４を有する箱状体をなしている。挿入口４は、正面視において厚型カード４５と相補的な形状を有しており、厚型カード４５は挿入口４の段状領域に挿入されると共に、薄型カード４１は挿入口４の上段の矩形領域に挿入される。
【００２９】
コネクタ本体２の奥壁２ａの前面部分および底壁２ｂの中央部分には、複数（本実施の形態では１３つ）のコンタクト端子１１が設けられている。奥壁２ａに設けられた各コンタクト端子１１は、奥壁２ａの前面部分から挿入口４側に向かって延在し、底壁２ｂに設けられた各コンタクト端子１１は、底壁２ｂの中央部分から奥壁２ａ側に向かって延在している。
【００３０】
コネクタ本体２の一の側壁２ｃには、挿入方向に延在する金属性の板バネ１２が設けられており、板バネ１２の板面には挿入されたカード４１、４５を内側に付勢する曲げ部１２ａ、１２ｂが形成されている。コネクタ本体２の他の側壁２ｄには、側壁２ｄに沿ってスライド可能なスライド部材６と、スライド部材６のスライドに伴って伸縮するコイル状の排出バネ７とが設けられている。排出バネ７は、一端が奥壁２ａに当接され、他端がスライド部材６に当接されており、スライド部材６を排出方向に付勢している。
【００３１】
スライド部材６は、排出バネ７に付勢された状態で挿入および排出方向にスライド可能に構成されている。スライド部材６の前端側には図示しないハートカム溝が形成されており、このハートカム溝と側壁２ｄの前端側に設けられたピン１３によりスライド部材６の位置が規定される。ピン１３は、側壁２ｄに沿って延在し、両端が底壁２ｂに向かって略直角に屈曲している。ピン１３の一端は、側壁２ｄの前端側に回動可能に支持され、他端はスライド部材６のハートカム溝上に摺動される。
【００３２】
ハートカム溝は、複数の段差と傾斜を有して上面視ハート型の環状に形成されており、スライド部材６のスライドに応じてピン１３の他端を一方向に摺動させる。スライド部材６が奥壁２ａ近傍の装着位置に押し込まれると、ピン１３の他端がハートカム溝の係止部分に係止され、排出バネ７の付勢によるスライド部材６の復帰が規制される。この状態からさらにスライド部材６が押し込まれると、ピン１３とハートカム溝との係止状態が解除されて、排出バネ７の付勢によりスライド部材６が復帰される。このように、ピン１３とハートカム溝は、スライド部材６の装着位置における保持機能を有している。
【００３３】
また、スライド部材６には、挿入方向に延在する金属性の板バネ１４が設けられており、板バネ１４の板面には挿入されたカード４１、４５を内側に付勢する曲げ部１４ａが形成されている。板バネ１４の上面には、スライド部材６の待機位置を規定する係合突起１４ｂが上方に突出して形成されている。この係合突起１４ｂが蓋体３の後述する係合孔２３ａに係合することで、スライド部材６のコネクタ本体２に対するスライドが規制される。なお、スライド部材６の詳細構成については後述する。
【００３４】
蓋体３は、金属性の板材を折り曲げて形成されており、上面の側壁２ｄに対応する部分にはピン１３を押えるピン押え２１、２２およびスライド部材６のスライドをロックするロック部２３が形成されている。ピン押え２１、２２は、底壁２ｂ側に切り起された片持ちバネであり、ピン１３の中間部分を下方に押圧してピン１３の他端をハートカム溝に押し付けている。
【００３５】
ロック部２３は、底壁２ｂ側に切り起された片持ちバネであり、自由端側に板バネ１２の係合突起１４ｂに係合する係合孔２３ａと、カード４１、４５に当接する段部２３ｂとが形成されている。係合孔２３ａは、上方から係合突起１４ｂに係合してスライド部材６のスライドをロック可能に構成されている。段部２３ｂは、底壁２ｂ側に膨出し、カード４１、４５上面の右側方部分の挿入軌跡上に位置するように形成されている。
【００３６】
ロック部２３は、カード４１、４５の挿入時に、カード４１、４５上面に段部２３ｂが当接することによって押し上げられ、係合孔２３ａから係合突起１４ｂが外されてスライド部材６のロックが解除される。この場合、ロック部２３および係合突起１４ｂが金属性であるため、強度および摺接時の耐摩耗性が向上し、長寿命化が図られている。また、ロック部２３の腕部分には、延在方向にスリット２３ｃが形成されており、このスリット２３ｃによりロック部２３のバネ定数が下げられている。
【００３７】
図３を参照して、本発明の特徴部分であるスライド部材の詳細構成について説明する。図３は、本発明の実施の形態に係るスライド部材の斜視図である。
【００３８】
図３に示すように、スライド部材６は、上面に板バネ１４が装着される板バネ装着部３１が形成され、下面に排出バネ７の他端が装着される図示しない排出バネ装着部が形成されている。板バネ１４の係合突起１４ｂは、挿入方向側の端面が係合孔２３ａの内周面に引っ掛けられるように上面に対して垂直に形成され、排出方向側の端面が係合孔２３ａ内に復帰し易いように上面から排出方向に下るように傾斜して形成されている。
【００３９】
スライド部材６の側面には、コネクタ本体２の中央に向かって突出する挿入位置規制部３２が形成されている。挿入位置規制部３２の側面は、スライド部材６の後端に向かって装着空間の幅方向を狭めるような傾斜面３２ａであり、カード４１、４５の傾斜面４２、４６に当接するように約４５度に傾斜している。
【００４０】
スライド部材６がロックされた状態でカード４１、４５が正挿入された場合には、カード４１、４５の先端側の傾斜面４２、４６が挿入位置規制部３２の傾斜面３２ａに当接して、ロック部２３によるロックを解除可能な解除位置、すなわち段部２３ｂに対向する位置にカード４１、４５を案内する。一方、スライド部材６がロックされた状態でカード４１、４５が誤挿入された場合には、カード４１、４５の後端側の角部が挿入位置規制部３２の傾斜面３２ａに当接して解除位置へのカード４１、４５の挿入が阻止される。このようにして、挿入位置規制部３２の傾斜面３２ａによりカード４１、４５の誤挿入が防止される。
【００４１】
また、挿入位置規制部３２の傾斜面３２ａの略中間部分から挿入口４側に底上げ部３３が突出して形成されている。底上げ部３３は、カード４１、４５が解除位置に到達したときにカード４１、４５をロック部２３の段部２３ｂに向けて底上げするように構成されており、この底上げによりロック部２３が大きく押し上げられる。
【００４２】
段部２３ｂに対向する底上げ部３３の上面３３ａは、挿入位置規制部３２の傾斜面３２ａから直交方向に離間するにつれて下るように傾斜しており、正挿入時にカード４１、４５が乗り上がるように構成されている。カード４１、４５が正挿入されて押し込まれることで、この底上げ部３３の上面３３ａにカード４１、４５の下面が摺接されつつ解除位置に案内される。
【００４３】
この場合、底上げ部３３の底上げ量は、薄型カード４１の最薄な寸法を基準として設計されており、最薄な薄型カード４１が解除位置に挿入されたときであってもロック部２３によるロックが解除されるように構成されている。また、カード４１、４５が底上げ部３３に底上げされると、解除位置においてロック部２３が上方に押し上げられると共に、スライド部材６が僅かに下方に押し下げられる。このように、解除位置においてロック部２３とスライド部材６とが離間されることで、係合孔２３ａが係合突起１４ｂから外れてロックが解除される。
【００４４】
また、スライド部材６は、下面に後端側に向かって厚みを薄くするような逃げ部３４が形成されており、この逃げ部３４により前端側を支点として後端側が上下に揺動するように構成されている。この構成により、厚型カード４５が挿入されたときに、スライド部材６の後端側が押し下げられ、スライド部材６と底壁２ｂとの接触圧が抑制される。よって、薄型カード４１と厚型カード４５のように厚みが異なる規格のカードに対応可能となる。
【００４５】
図４および図５を参照してカード用コネクタによる誤挿入防止構造について説明する。図４は、本発明の実施の形態に係るカード用コネクタの薄型カードの誤挿入時の説明図であり、（ａ）は上面図、（ｂ）は（ａ）のＡ−Ａ線に沿う断面図を示している。図５は、本発明の実施の形態に係るカード用コネクタの厚型カードの誤挿入時の説明図であり、（ａ）は上面図、（ｂ）は（ａ）のＢ−Ｂ線に沿う断面図を示している。なお、図４（ａ）および図５（ａ）においては、説明の便宜上、破線で示す段部を除いて蓋体を省略している。
【００４６】
最初に、図４を参照して薄型カード４１の誤挿入について説明する。初期状態においては、スライド部材６に設けられた板バネ１４の係合突起１４ｂがロック部２３の係合孔２３ａに係合されているため、スライド部材６のスライドが規制されている。図４（ａ）、（ｂ）に示すように、この初期状態から薄型カード４１が誤挿入された場合、薄型カード４１の後端側の角部が側壁２ｄに沿って侵入し、解除位置の手前において挿入位置規制部３２の傾斜面３２ａに当接する。
【００４７】
この場合、排出バネ７の付勢力よりも大きな力で、薄型カード４１を挿入したとしても、挿入位置規制部３２の傾斜面３２ａによって解除位置への薄型カード４１の挿入が阻止される。したがって、薄型カード４１がロック部２３の段部２３ｂに接触することがなく、スライド部材６のスライドのロックが維持される。
【００４８】
次に、図５を参照して厚型カード４５の誤挿入について説明する。図５（ａ）、（ｂ）に示すように、薄型カード４１の場合と同様に初期状態から厚型カード４５が誤挿入された場合、厚型カード４５の後端側の角部が側壁２ｄに沿って侵入し、解除位置の手前において挿入位置規制部３２の傾斜面３２ａに当接する。
【００４９】
この場合、排出バネ７の付勢力よりも大きな力で、厚型カード４５を挿入したとしても、挿入位置規制部３２の傾斜面３２ａによって解除位置への薄型カード４１の挿入が阻止される。したがって、厚型カード４５がロック部２３の段部２３ｂに接触することがなく、スライド部材６のスライドのロックが維持される。
【００５０】
図６から図８を参照してカード用コネクタによるロック解除構造およびカードの装着動作について説明する。図６は、本発明の実施の形態に係るカード用コネクタの最薄の薄型カードのロック解除構造の説明図であり、（ａ）は上面図、（ｂ）は（ａ）のＣ−Ｃ線に沿う断面図を示している。図７は、本発明の実施の形態に係るカード用コネクタの最厚の厚型カードのロック解除構造の説明図であり、（ａ）は上面図、（ｂ）は（ａ）のＤ−Ｄ線に沿う断面図、（ｃ）は（ａ）のＥ−Ｅ線に沿う断面図を示している。図８は、厚型カードの正挿入時の部分拡大図である。なお、図６（ａ）および図７（ａ）においては、説明の便宜上、破線で示す段部を除いて蓋体を省略している。
【００５１】
最初に、図６を参照して薄型カード４１のロック解除構造および装着動作について説明する。初期状態においては、スライド部材６に設けられた板バネ１４の係合突起１４ｂがロック部２３の係合孔２３ａに係合されているため、スライド部材６のスライドが規制されている。図６（ａ）に示すように、この初期状態から薄型カード４１が正挿入された場合、薄型カード４１の先端側の傾斜面４２が挿入位置規制部３２の傾斜面３２ａに当接して、薄型カード４１の先端側が解除位置まで案内される。
【００５２】
このとき、図６（ｂ）に示すように、薄型カード４１の先端側が底上げ部３３の上面３３ａに乗り上がり、解除位置において薄型カード４１の上面がロック部２３の段部２３ｂに押し当てられる。ロック部２３は、底上げ部３３の底上げ量と薄型カード４１の厚みにより、上方に押し上げられる。このように、底上げ部３３は、薄型カード４１の形成時の寸法公差の最薄の場合を想定して底上げ量が形成されているため、薄型カード４１の厚みのバラツキを吸収してロック部２３を押し上げ可能としている。
【００５３】
ロック部２３が上方に押し上げられると、ロック部２３の係合孔２３ａがスライド部材６に設けられた板バネ１４の係合突起１４ｂから外れてスライド部材６のスライドのロックが解除される。このスライド部材６のロックが解除された状態で、排出バネ７の付勢力に抗して薄型カード４１をさらに押し込むと、薄型カード４１と共にスライド部材６が一体としてスライドされる。
【００５４】
そして、スライド部材６が奥壁２ａまでスライドすると、ピン１３の他端がスライド部材６のハートカム溝の係止部分に係止されてスライドが停止され、薄型カード４１が装着位置で保持される。このとき、薄型カード４１の下面に設けられた複数のパッド４３が、コンタクト端子１１に接触される。
【００５５】
カード用コネクタ１への薄型カード４１が装着された状態では、薄型カード４１の後端が挿入口４から突出されている。この挿入口４から突出した薄型カード４１の後端がさらに押圧されると、ピン１３の他端とハートカム溝の係止状態が解除され、スライド部材６が排出バネ７に押し戻されて初期状態に戻される。
【００５６】
なお、図６では、最薄の薄型カード４１を例示して説明したが、この構成に限定されるものではない。例えば、最厚の薄型カード４１が正挿入された場合には、薄型カード４１の厚みによりロック部２３が押し上げられると共に、薄型カード４１からの反力によりスライド部材６が僅かに押し下げられてロックが解除される。
【００５７】
次に、図７を参照して厚型カード４５のロック解除構造および装着動作について説明する。図７（ａ）に示すように、薄型カード４１の場合と同様に初期状態から厚型カード４５が正挿入された場合、厚型カード４５の先端側の傾斜面４６が挿入位置規制部３２の傾斜面３２ａに当接して、厚型カード４５の先端側が解除位置まで案内される。
【００５８】
図８に示すように、厚型カード４５の先端側が解除位置に案内されると、厚型カード４５の下面は、挿入方向に延在する複数の溝部４７のうち傾斜面４６に対応する溝部４７の底面が底上げ部３３に底上げされる。このとき、底上げ部３３は、溝部４７の底面に設けられたパッド４８とコンタクト端子１１との摺動軌跡から外れた位置を底上げしており、パッド４８とコンタクト端子１１との接触の妨害となることがない。なお、この溝部４７は、パッド４８がコネクタ端子１１以外のものとの接触を避けるような溝幅に形成されている。
【００５９】
そして、図７（ｂ）に示すように、厚型カード４５の先端側の溝部４７が底上げ部３３の上面３３ａに乗り上げ、解除位置において厚型カード４５の上面がロック部２３の段部２３ｂに押し当てられる。ロック部２３は、底上げ部３３の底上げ量と厚型カード４５の厚みにより、上方に大きく押し上げられる。このとき、図７（ｃ）に示すように、スライド部材６の後端側は、下面に形成された逃げ部３４により、前端側を支点として底壁２ｂ側に押し下げられる。これにより、スライド部材６が底壁２ｂに強く押しつけられることが抑制される。
【００６０】
ロック部２３が上方に押し上げられると共に、スライド部材６が下方に押し下げられると、ロック部２３の係合孔２３ａがスライド部材６に設けられた板バネ１４の係合突起１４ｂから外れてスライド部材６のスライドのロックが解除される。このスライド部材６のロックが解除された状態で、排出バネ７の付勢力に抗して厚型カード４５をさらに押し込むと、厚型カード４５と共にスライド部材６が一体としてスライドされる。
【００６１】
そして、スライド部材６が奥壁２ａまでスライドすると、薄型カード４１の装着時と同様に装着され、装着位置からさらに押し込むことでスライド部材６が排出バネ７に押し戻されて初期状態に戻される。
【００６２】
以上のように、本実施の形態に係るカード用コネクタ１によれば、カード４１、４５の正挿入時にはカード４１、４５が解除位置への挿入が許容され、カード４１、４５の誤挿入時にはカード４１、４５の解除位置への挿入が阻止されるため、カード４１、４５の誤挿入が防止される。また、カード４１、４５の正挿入時には解除位置においてカード４１、４５の厚み方向における位置が底上げされるため、カード４１、４５の厚みにばらつきが生じてもロック部２３の係合孔２３ａをスライド部材６に設けられた板バネ１４の係合突起１４ｂから離間させてロックを解除させることが可能となる。特に、最薄の薄型カード４１の厚みに合わせて底上げ部３３の底上げ量を設計することにより、確実にロック部２３によるロックを解除させることが可能となる。このように、カード４１、４５の厚み方向における寸法公差が大きくばらついても、正挿入時にロックが解除されるため、カード４１、４５の製造コストを低減させることが可能となる。
【００６３】
なお、上記した実施の形態においては、薄型カードをマルチメディアカード、厚型カードをＳＤカードとして説明したが、この構成に限定されるものではない。本発明は、厚みの異なる複数の規格のカードに対応可能であり、例えば、マルチメディアカードの代わりにマルチメディアカードのハーフサイズのレデュースサイズマルチメディアカード（ＲＳ−ＭＭＣ）にも対応可能である。この場合、カードに金属性のアダプタが取り付けられて挿入されるが、本発明によって誤挿入が防止されているため、誤挿入によって金属性のアダプタがコンタクト端子に接触してショートすることが防止される。
【００６４】
また、上記した実施の形態においては、蓋体にロック部を設ける構成としたが、この構成に限定されるものではなく、コネクタ本体の底壁にロック部を設ける構成としてもよい。
【００６５】
また、上記した実施の形態においては、底上げ部がスライド部材に設けられている構成としたが、この構成に限定されるものではない。解除位置においてカードを底上げ可能な構成であればどのような構成であってもよく、例えば、コネクタ本体の底壁に底上げ部を形成するようにしてもよい。
【００６６】
また、上記した実施の形態においては、逃げ部がスライド部材に形成される構成としたが、この構成に限定されるものではない。所定の厚み以上のカードが挿入された場合に、スライド部材とコネクタ本体の底面との接触圧の増大を抑制する構成であればどのような構成であってもよく、例えば、逃げ部としてコネクタ本体の底面に溝を形成する構成としてもよい。
【００６７】
また、上記した実施の形態においては、スライド部材に設けられた挿入位置規制部の傾斜面により、カードの挿入位置を規制する構成としたが、この構成に限定されるものではない。カードの正挿入時に解除位置にカードが挿入されるのを許容し、カードの誤挿入時に解除位置にカードが挿入されるのを阻止可能な構成であればどのような構成であってもよく、例えば、挿入位置規制部に傾斜面の代わりに曲面を形成する構成としてもよい。
【００６８】
また、上記した実施の形態においては、薄型カードおよび厚型カードの２種類のカードに対応可能なコンバイン型の構成としたが、この構成に限定されるものではない。１種類のカードのみに対応可能としてもよいし、３種類以上のカードに対応可能としてもよい。
【００６９】
また、上記した実施の形態においては、ロック部と板バネの係合突起とを金属性としたが、この構成に限定されるものではない。ロック部の係合孔と係合突起との摺接による摩擦を低減可能な材質であればよく、他の耐摩擦材でロック部と板バネとを形成する構成としてもよい。
【００７０】
また、上記した実施の形態においては、ロック部を片持ちバネで構成したが、この構成に限定されるものではない。カードの厚みによって押し上げられる構成であればどのような構成であってもよい。また、上記した実施の形態においては、ロック部が段部を有する構成としたが、解除位置においてカードに押し上げられる構成であれば、段部を有さない構成としてもよい。
【００７１】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００７２】
以上説明したように、本発明は、カードの厚みがばらついてもカードの正挿入時に確実にカードを装着可能とし、カードの誤挿入を防止することができるという効果を有し、特に、カードの誤挿入防止構造を備えたカード用コネクタに有用である。
【符号の説明】
【００７３】
１  カード用コネクタ
２  コネクタ本体（ハウジング）
３  蓋体（ハウジング）
４  挿入口
６  スライド部材
７  排出バネ
１１  コンタクト端子（端子）
１４  板バネ
１４ｂ  係合突起
２３  ロック部
２３ａ  係合孔
２３ｂ  段部
３２  挿入位置規制部
３２ａ  傾斜面
３３  底上げ部
３４  逃げ部
４１  薄型カード（カード）
４５  厚型カード（カード）
４７  溝部
【図１】
2010212057.tif 000003
【図２】
2010212057.tif 000004
【図３】
2010212057.tif 000005
【図４】
2010212057.tif 000006
【図５】
2010212057.tif 000007
【図６】
2010212057.tif 000008
【図７】
2010212057.tif 000009
【図８】
2010212057.tif 000010
【図９】
2010212057.tif 000011
【図１０】
2010212057.tif 000012